(57)【要約】      （修正有）【課題】握持し易いと共に握持部に熱が伝達し難くくすることにより簡便にミルクを生成することができ、滑り止め効果を有する哺乳瓶用ホルダを得る。【解決手段】哺乳瓶本体１０の肩部１２に取り付ける哺乳瓶用ホルダ２０は、断熱性、柔軟性を有する弾性部材から成り、上部の短筒部２２と、短筒部２２の下部に哺乳瓶本体１０の肩部１２を覆う略円錐部２３と、この略円錐部２３から両側の対称な位置の下方に延在した一対の舌片状の握持部２４ａ、２４ｂが一体に形成されている。握持部２４ａ、２４ｂの滑り止め２５に指をかけることで熱が指に伝達し難く、容易に哺乳瓶本体１０を振ることができる。生成したミルクを授乳する際も握持部２４ａ、２４ｂの滑り止め２５に指をかけているので哺乳瓶本体１０が滑り落ちることがない。更に、乳児が自ら哺乳瓶本体１０を保持する場合には、握持部２４ａ、２４ｂを両手で保持することにより滑り難くなる。【選択図】図２
2014104035.tif 000002
【特許請求の範囲】
【請求項１】
哺乳瓶本体の上方の肩部の周囲に着脱自在に装着する哺乳瓶用ホルダであって、断熱性及び柔軟性を有する弾性部材から成り、前記哺乳瓶本体の開口部の外径と略同径の孔部を有する短筒部と、該短筒部の下部に前記哺乳瓶本体の肩部の表面を覆う略円錐部とを有し、該略円錐部の下端から複数の舌片状の握持部を下方に延在したことを特徴とする哺乳瓶用ホルダ。
【請求項２】
前記握持部の表面にすべり止め用の凹凸を形成したことを特徴とする請求項１に記載の哺乳瓶用ホルダ。
【請求項３】
前記弾性部材は合成樹脂としたことを特徴とする請求項１又は２に記載の哺乳瓶用ホルダ。
【請求項４】
前記弾性部材は透明又は半透明としたことを特徴とする請求項１〜３の何れか１つの請求項に記載の哺乳瓶用ホルダ。
【請求項５】
前記弾性部材は原色としたことを特徴とする請求項１〜４の何れか１つの請求項に記載の哺乳瓶用ホルダ。
【発明の詳細な説明】
【技術分野】
【０００１】
本発明は、乳児がミルクを飲むために使用する哺乳瓶に取り付けて用いる哺乳瓶用ホルダに関するものである。
【背景技術】
【０００２】
図５は一般的に使用されている哺乳瓶１の分解斜視図である。乳児がミルクを飲むために使用する哺乳瓶１は、ガラス又は透明な合成樹脂から成る哺乳瓶本体２と、着脱自在のシリコンゴム等の合成ゴムから成り、先端に内部のミルクを吸引するための孔部を設けた乳首部３と、この乳首部３を哺乳瓶本体２に着脱するための合成樹脂製のキャップ部４とから構成されている。
【０００３】
また、乳首部３の基部にはフランジ部３ａが設けられ、このフランジ部３ａにより乳首部３はキャップ部４に係止されている。そして、哺乳瓶本体２の上端外壁に設けられた外ねじ溝２ａにキャップ部４の内壁に設けられた内ねじ溝を螺合することにより、哺乳瓶本体２にキャップ部４が取り付けられる。なお、この際に乳首部３のフランジ部３ａは、哺乳瓶本体２の上端のパッキンの役割を兼ねているため、哺乳瓶本体２とキャップ部４との螺合部から内部のミルクが漏れることはない。
【０００４】
通常、この哺乳瓶１を用いて授乳する際には、哺乳瓶本体２内の所定量の粉ミルクに熱湯を注ぎ、乳首部３を有するキャップ部４を取り付け、哺乳瓶本体２を左右方向に振ることにより、熱湯に粉ミルクを溶かしかつ温度を下げ、生成されたミルクが十分に冷めた後に授乳する。
【０００５】
また、哺乳瓶本体２に粉ミルクと熱湯を入れた際には、哺乳瓶本体２は高温となるが、熱伝導性が悪く高温になり難いキャップ部４を持って哺乳瓶本体２を振ることにより、粉ミルクを溶かしている。
【０００６】
特許文献１においては、容器の一部をゴム製のらせん部を有する哺乳瓶が開示されている。また、特許文献２においては取り外しが可能であり、ゴム製の滑り止め手段を有する哺乳補助具が記載されている。更に、特許文献３においては、哺乳瓶の滑り止めの役割を果すと共に熱湯の熱を伝達し難くするために、哺乳瓶本体の表面にゴム層を塗布した哺乳瓶が開示されている。
【先行技術文献】
【特許文献】
【０００７】
【特許文献１】実開平３−９４２３６号公報
【特許文献２】特許第３１１９８５２号
【特許文献３】特開２００２−３６０６６７号
【発明の概要】
【発明が解決しようとする課題】
【０００８】
しかし、特許文献１の哺乳瓶においては、らせん部は指で把持する個所でないので哺乳瓶全体を保持し難い。同様に、特許文献２の滑り止め手段も指で把持するためのものではない。従って、特許文献１、２に記載された哺乳瓶は熱が伝達し難い部位を有するものの、熱湯で粉ミルクを溶かしてミルクを生成する際には、哺乳瓶本体が熱くなり手で保持し難くなる問題を有している。
【０００９】
また特許文献３においては、哺乳瓶全体にゴム層を塗布することにより、滑り止め、断熱効果は得られるものの、哺乳瓶に触った手の感覚によるミルクの冷め具合の判断が難しく、乳児に熱いミルクを与えてしまうという虞れがある。
【００１０】
本発明の目的は、上述の問題を解決し、熱湯を注いでミルクを生成する際に、断熱効果がある握持部を保持し易く、簡便にミルクを生成することができ、また乳児が持ち易くするための滑り止め効果を有する哺乳瓶用ホルダを提供することにある。
【課題を解決するための手段】
【００１１】
上記目的を達成するための本発明に係る哺乳瓶用ホルダは、哺乳瓶本体の上方の肩部の周囲に着脱自在に装着する哺乳瓶用ホルダであって、断熱性及び柔軟性を有する弾性部材から成り、前記哺乳瓶本体の開口部の外径と略同径の孔部を有する短筒部と、該短筒部の下部に前記哺乳瓶本体の肩部の表面を覆う略円錐部とを有し、該略円錐部の下端から複数の舌片状の握持部を下方に延在したことを特徴とする。
【発明の効果】
【００１２】
本発明に係る哺乳瓶用ホルダによれば、哺乳瓶に装着することにより、哺乳瓶に熱湯を入れても保持可能で、しかも授乳時には乳児が持ち易い利点がある。また、哺乳瓶用ホルダは哺乳瓶本体から容易に着脱できることから、哺乳瓶用ホルダ自体も単独で簡便に洗浄、消毒をすることができ、衛生的に使用することができる。
【図面の簡単な説明】
【００１３】
【図１】哺乳瓶本体に哺乳瓶用ホルダを取り付けた状態の斜視図である。
【図２】哺乳瓶本体にキャップ部を取り付けた状態の斜視図である。
【図３】哺乳瓶用ホルダの斜視図である。
【図４】哺乳瓶を振ってミルクを製造する状態の説明図である。
【図５】従来の哺乳瓶の分解斜視図である。
【発明を実施するための形態】
【００１４】
本発明を図１〜図４に図示の実施例に基づいて詳細に説明する。
図１は市販の合成樹脂又はガラスから成る哺乳瓶本体１０に、哺乳瓶用ホルダ２０を取り付けた状態の斜視図を示しており、哺乳瓶本体１０は下部に円筒部１１から肩部１２を介して円筒部１１よりも小径の筒状の開口部１３が設けられている。この開口部１３の外側に外ねじ溝１４が設けられている。また、哺乳瓶本体１０の円筒部１１にはミルクの容量を示す目盛１５が印刷されている。そして、開口部１３の下方の肩部１２の周囲に哺乳瓶用ホルダ２０が装着されている。
【００１５】
図２は哺乳瓶本体１０の上部に合成樹脂製キャップ部３０を固定した状態の斜視図であり、キャップ部３０を介してシリコンゴム等から成る乳首部４０が取り付けられ、キャップ部３０は哺乳瓶本体１０の外ねじ溝１４に螺合により固定されている。
【００１６】
哺乳瓶用ホルダ２０は、耐熱性が高く、かつ熱伝導率が低い断熱性を有し、柔軟性を有する弾性部材、例えばシリコンゴムから成り、その厚みは２〜５ｍｍ程度とされている。哺乳瓶用ホルダ２０は図３に示すように、哺乳瓶本体１０の開口部１３の外径と略同径の孔部２１を有する短筒部２２と、短筒部２２の下部に哺乳瓶本体１０の肩部１２を覆う末拡がり状の略円錐部２３と、この略円錐部２３から両側の対称な位置の下方に延在した一対の舌片状の握持部２４ａ、２４ｂが一体に設けられている。また、これらの握持部２４ａ、２４ｂの表面には凹凸部から成る滑り止め２５が形成されている。
【００１７】
使用に際しては、哺乳瓶本体１０内に開口部１３から所定量の粉ミルク及び熱湯を注入した後に、乳首部４０を取り付けたキャップ部３０を螺合により連結し締め付ける。続いて、図４に示すように哺乳瓶用ホルダ２０の握持部２４ａ、２４ｂを親指と、人差し指、中指等の親指以外の指とによって挟むように保持し、哺乳瓶本体１０を左右に振ることにより、粉ミルクが熱湯に溶けてミルクを生成することができる。
【００１８】
この際に握持部２４ａ、２４ｂの滑り止め２５に指をかけているために、熱湯の熱が指に伝達し難く、ミルクの生成のために容易に哺乳瓶本体１０を振ることができる。
【００１９】
生成したミルクを授乳する際は、哺乳瓶本体１０の開口部１３を下にして握持部２４ａ、２４ｂを親指と親指以外の指とで挟むように保持して授乳する。握持部２４ａ、２４ｂの滑り止め２５に指をかけているので哺乳瓶本体１０が滑り落ちることがない。更に、乳児が自ら哺乳瓶本体１０を保持する場合には、握持部２４ａ、２４ｂを両手で保持することにより滑り難くなる。
【００２０】
また、この哺乳瓶用ホルダ２０は哺乳瓶本体１０の上部にのみ装着するため、内部のミルクの温度を判断する際には、円筒部１１の握持部２４ａ、２４ｂにより覆われていない部分を手で触れて、従来の哺乳瓶と同様に手の感覚で温度を推定することができる。
【００２１】
更に、握持部２４ａ、２４ｂを一対の舌片状の形状としたことにより、握持部２４ａ、２４ｂから外れた位置の哺乳瓶本体１０の外面は、握持部２４ａ、２４ｂにより覆われていないので、容量を示す目盛１５が握持部２４ａ、２４ｂで隠れないように哺乳瓶用ホルダ２０を取り付ければ、目盛１５の読み取りの邪魔となることはない。また、哺乳瓶が倒れて横倒しとなった場合でも、握持部２４ａ、２４ｂの存在のために転がり難い利点もある。なお、この握持部２４ａ、２４ｂは実施例のような２個ではなく、例えば３個又は４個とすることもできる。
【００２２】
更に、この哺乳瓶用ホルダ２０はシリコンゴム等の合成樹脂から形成されていることから、前述のように断熱性もあり、また滑り難いので乳児も保持し易い。なお、滑り止め２５は乳児の興味を惹き付けるような図柄や色彩を施してもよい。例えば、色彩に関しては、哺乳瓶用ホルダ２０全体を赤、黄、青、緑のような原色とすると、乳児の興味を惹き易い。
【００２３】
また、哺乳瓶用ホルダ２０全体は不透明体であってもいいことは勿論であるが、透明又は半透明の材料を用いてもよい。このように透明又は半透明にすることで、例えば図１の哺乳瓶用ホルダ２０の握持部２４ａ、２４ｂにより目盛り１５を覆われたとしても目盛１５を読み取ることができる。更には、哺乳瓶用ホルダ２０全体は有色透明又は有色半透明としてもよいし、哺乳瓶用ホルダ２０の握持部２４ａ、２４ｂ等の各部分毎に適宜に透明、半透明、色彩を採用するようにしてもよい。
【００２４】
また、本実施例の哺乳瓶用ホルダ２０は指で哺乳瓶本体１０から容易に着脱できることから、哺乳瓶用ホルダ２０自体も単独で簡便に洗浄、消毒をすることができ、衛生的に使用することができる。哺乳瓶用ホルダ２０を哺乳瓶本体１０から取り外す際には、握持部２４ａ、２４ｂの先端を指で摘んで裏返すように剥がすことで、容易に取り外すことができる。
【００２５】
通常、哺乳瓶は１回の使用毎に消毒を必要とするため、乳児１人に対して数本の哺乳瓶が必要である。しかし、本実施例における着脱可能な哺乳瓶用ホルダ２０は、授乳毎に消毒を必要とするものではないので、数本の哺乳瓶本体１０で使い回すことが可能である。
【００２６】
また、合成ゴムから成る哺乳瓶用ホルダ２０は伸縮可能であるため、殆どの形状の哺乳瓶に対して装着させることが可能である。
【符号の説明】
【００２７】
１０  哺乳瓶本体
１１  円筒部
１２  肩部
１３  開口部
１５  目盛
２０  哺乳瓶用ホルダ
２１  孔部
２３  略円錐部
２４ａ、２４ｂ  握持部
２５  滑り止め
３０  キャップ部
４０  乳首部
【図１】
2014104035.tif 000003
【図２】
2014104035.tif 000004
【図３】
2014104035.tif 000005
【図４】
2014104035.tif 000006
【図５】
2014104035.tif 000007